(57)【要約】【課題】乗員のシートが後方側に離間している場合にも、収納物を収納部に容易に出し入れすることができる車両のドアポケット構造を提供する。【解決手段】車両の後部下方側に傾斜して収納物３０の長手方向の底面と当接する底面壁１３ａを、収納部１１の内側底壁に設ける。収納部１１内に、収納物３０の長手方向の側面３０ｂと当接する側面壁を設ける。【選択図】図１
2016078568.tif 000002
【特許請求の範囲】
【請求項１】
ドア本体の車室内側に、上方に開口する収納部が設けられたドアポケット構造において、
車両の後部下方側に傾斜して収納物の長手方向の底面と当接する底面壁が、前記収納部の内側底壁に設けられるとともに、前記収納部内に、前記収納物の長手方向の側面と当接する側面壁が設けられていることを特徴とする車両のドアポケット構造。
【請求項２】
前記底面壁は、前記収納部の内側底壁の他の部位に比較して凹状に窪んで形成されていることを特徴とする請求項１に記載の車両のドアポケット構造。
【請求項３】
前記側面壁は、鉛直面に対して車両後方側に傾斜する傾斜面を有することを特徴とする請求項１または２に記載の車両のドアポケット構造。
【請求項４】
前記収納部の内側後壁には、傾斜した前記側面壁と、該側面壁に連設されて、当該側面壁の傾斜面に対し凹状に窪む角状凹部が設けられていることを特徴とする請求項３に記載の車両のドアポケット構造。
【請求項５】
前記収納部の開口の上部に連続するドアライニングの車室内側壁には、前記収納物の長手方向の側面に略沿う凹状のガイド面が設けられていることを特徴とする請求項１〜４のいずれか１項に記載の車両のドアポケット構造。
【請求項６】
前記ガイド面の途中には、当該ガイド面よりも深く窪む凹部が設けられていることを特徴とする請求項５に記載の車両のドアポケット構造。
【発明の詳細な説明】
【技術分野】
【０００１】
この発明は、ドア本体の車室内側に設けられる車両のドアポケット構造に関するものである。
【背景技術】
【０００２】
車両のドアにおいて、ドア本体の車室内側に、物品を収納するためのドアポケットを備えたものが知られている。ドアポケットは、上方側に凹状に開口する収納部を有し、その収納部は、通常、車室内側からの側面視が略長方形状に形成されている(例えば、特許文献１参照)。
【先行技術文献】
【特許文献】
【０００３】
【特許文献１】特開２０１３−１３６３１８号公報
【発明の概要】
【発明が解決しようとする課題】
【０００４】
しかし、上記従来のドアポケット構造においては、収納部が側面視で略長方形状となるように形成されているため、地図や雑誌、薄型のバッグ等を収納するには便利な反面、収納する物品の挿入や取り出し方向が上下方向に制限され易い。このため、収納部に飲料容器等の収納物を出し入れする場合には、乗員の座席が収納部の近くにないと出し入れ作業が行いにくくなり、例えば、乗員のシートを後方側に大きく移動させているとき等には、乗員が大きく前傾姿勢をとらなければ収納物の出し入れを行うことができない。
【０００５】
そこでこの発明は、乗員のシートが後方側に離間している場合にも、収納物を収納部に容易に出し入れすることができる車両のドアポケット構造を提供しようとするものである。
【課題を解決するための手段】
【０００６】
この発明に係る車両のドアポケット構造は、上記課題を解決するために、ドア本体（例えば、実施形態のドア本体１０）の車室内側に、上方に開口する収納部（例えば、実施形態の収納部１１）が設けられたドアポケット構造において、車両の後部下方側に傾斜して収納物（例えば、実施形態の収納物３０）の長手方向の底面（例えば、実施形態の底面３０ａ）と当接する底面壁（例えば、実施形態の底面壁１３ａ）が、前記収納部の内側底壁（例えば、実施形態の内側底壁１１ｃ）に設けられるとともに、前記収納部内に、前記収納物の長手方向の側面（例えば、実施形態の側面３０ｂ）と当接する側面壁（例えば、実施形態の傾斜面１３ｂ，１４）が設けられるようにした。
【０００７】
これにより、収納物をドアポケットの収納部内に収納する場合には、収納物の長手方向の底面を、収納部の底面壁上に載置するとともに、収納物の長手方向の側面を収納部の側面壁に当接させることができる。この場合、収納物は、後方に傾斜した状態において、ドアポケットの収納部に収納されることになる。したがって、乗員は、ドアポケットの収納部の後方側から、収納物を収納部に容易に出し入れすることが可能になる。
【０００８】
前記底面壁は、前記収納部の内側底壁の他の部位に比較して凹状に窪んで形成されるようにしても良い。
この場合、収納物の長手方向の底面を支持する底面壁が収納部の内側底壁から上方に隆起しなくなる。この結果、収納部の内側容積が拡大され、収納物の収納容積を狭めることがなくなる。
【０００９】
前記側面壁は、鉛直面に対して車両後方側に傾斜する傾斜面を有するようにしても良い。
この場合、収納物の長手方向の側面が側面壁の傾斜面によって安定的に支持されることになる。
【００１０】
前記収納部の内側後壁には、傾斜した前記側面壁と、該側面壁に連設されて、当該側面壁の傾斜面に対し凹状に窪む角状凹部（例えば、実施形態の角状凹部１５）が設けられるようにしても良い。
この場合、地図や書類、カバン等の矩形状の収納物の角部を角状凹部に配置することができる。したがって、矩形状の収納物の前後長が長い場合にも、その収納物を収納部に収納することが可能になる。
【００１１】
前記収納部の開口の上部に連続するドアライニングの車室内側壁には、前記収納物の長手方向の側面に略沿う凹状のガイド面（例えば、実施形態のガイド面１６）が設けられるようにしても良い。
この場合、底面壁に載置された収納物が収納部の上方に突出するときにも、その突出した部分を凹状のガイド面部分で安定的に保持することができる。
【００１２】
前記ガイド面の途中には、当該ガイド面よりも深く窪む凹部（例えば、実施形態の凹部１７）が設けられるようにしても良い。
この場合、収納物の収納部から上方に突出する部分が凹状のガイド面に保持される状況においても、凹部から収納物の背面側に指先を回り込ませることにより、収納物を容易に把持し収納部から取り出すことができる。
【発明の効果】
【００１３】
この発明によれば、収納物の長手方向の底面を、収納部の底面壁上に載置し、かつ、収納物の長手方向の側面を収納部の側面壁に当接させることにより、収納物を後方に傾斜させた状態で収納部に収納することができるため、乗員のシートが後方側に離間している場合にも、収納物を収納部に容易に出し入れすることができる。
【図面の簡単な説明】
【００１４】
【図１】実施形態に係るリヤドアを車室内側から見た正面図である。
【図２】実施形態に係るリヤドアのドアポケット部分の斜視図である。
【図３】実施形態に係るドアポケットの図２のＩＩＩ−ＩＩＩ断面に対応する断面図である。
【図４】実施形態に係るドアポケットの断面図である。
【発明を実施するための形態】
【００１５】
以下、この発明の一実施形態を図面に基づいて説明する。
図１は、車両のリヤドア１を車室内側から見た図である。この実施形態のリヤドア１は、前席後方のシートが前後方向にスライド可能に設置される車両に用いられている。また、この実施形態のリヤドア１は、図示しないリヤホイールハウスとの干渉を回避するために、後部側の下半部が前方側に比較的大きく傾斜している。
【００１６】
リヤドア１は、ドア本体１０の図示しないドアインナパネルの車室内側に樹脂製のドアライニング２０が取り付けられている。ドアライニング２０の下縁部には、車室内側に膨出するようにドアポケット２１が設けられている。ドアポケット２１は、上方側に凹状に開口して内部に物品を収納する収納部１１を有している。
【００１７】
図２は、ドアライニング２０のドアポケット２１部分を車室内側の斜め上前方側から見た斜視図である。
同図にも示すように、ドアポケット２１の収納部１１は、ドア幅方向（車体前後方向）に沿う長孔状の開口１２を有している。収納部１１の開口１２の上方側には、ドアライニング２０の略中央の垂立壁２０ａ（車室内側壁）が連設されている。垂立壁２０ａは、収納部１１の車外寄りの内側壁である第１の内側壁１１ａに連続している。
【００１８】
図３，図４は、ドアポケット２１の収納部１１の図２のＩＩ−ＩＩ断面に略沿う断面を示す図である。図３は、収納部１１内に飲料容器等の筒状の収納物３０を収納した状態での断面を示し、図４は、収納部１１内に薄型のカバン等の矩形状の収納物４０を収納した状態での断面を示している。
収納部１１は、ドアライニング２０の垂立壁２０ａに連続する上記の第１の内側壁１１ａと、第１の内側壁１１ａに対向する第２の内側壁１１ｂと、収納部１１の底部に位置される内側底壁１１ｃと、収納部１１の前部に位置される内側前壁１１ｄと、収納部１１の後部に位置される内側後壁１１ｅと、を有している。
収納物３０は、平坦面上に載置可能な長手方向の底面３０ａと、略円筒状の側面３０ｂとを有している。
【００１９】
収納部１１の第１の内側壁１１ａと第２の内側壁１１ｂと内側前壁１１ｄとは、略鉛直方向に沿うように形成されている。収納部１１の内側底壁１１ｃは、後縁部側の一部を除き略水平に形成されている。内側底壁１１ｃの後縁部には、下方に断面略三角形状に窪む窪み部１３が設けられ、その窪み部１３の一部によって収納物３０の長手方向の底面３０ａを支持する底面壁１３ａが形成されている。底面壁１３ａは、車両の後部下方に向かって傾斜した傾斜面を有している。
また、窪み部１３内には、底面壁１３ａと略直交する方向（後部上方側に向かう方向）に傾斜する傾斜面１３ｂが形成されている。
【００２０】
収納部１１の内側後壁１１ｅは、後部上方側に向かって傾斜する傾斜面１４を有している。内側後壁１１ｅの傾斜面１４の下端には、傾斜面１４に対して下方に窪む角状凹部１５が連設されている。角状凹部１５は、窪み部１３を挟んで内側底壁１１ｃの一般面と連続する略水平面１５ａと、その略水平面１５ａと略直角な略垂立面１５ｂとを有している。なお、内側後壁１１ｅの傾斜面１４は、角状凹部１５を挟んで窪み部１３内の傾斜面１３ｂに連続している。この実施形態においては、内側後壁１１ｅの傾斜面１４と窪み部１３内の傾斜面１３ｂとが、収納物３０の長手方向の側面３０ｂを、車両の後部上方側に傾斜させた状態で支持可能な側面壁を構成している。
【００２１】
また、ドアライニング２０の垂立壁２０ａのうちの、収納部１１の開口１２の後部領域から後部斜め上方に連続する領域には、図１に示すように、収納物３０の長手方向の側面３０ｂに略沿う凹状のガイド面１６が設けられている。また、後部斜め上方に延出するガイド面１６の途中には、ガイド面１６よりも深く窪む凹部１７が設けられている。
【００２２】
なお、この実施形態の場合、収納部１１の前部側には、第１の内側壁から前方に膨出する一対の支持壁１８，１８が設けられており、この一対の支持壁１８，１８の間に収納物３０を垂直に立てて収納できるようになっている。ドアライニング２０の垂立壁２０ａのうちの、支持壁１８，１８間の上方には、収納物３０の長手方向の側面３０ｂに略沿う凹状のガイド面１９が設けられている。
【００２３】
リヤドア１のドアポケット２１の収納部１１内に飲料容器等の筒状の収納物３０を収納する場合には、収納部１１の前方側の支持壁１８，１８間に収納物３０を立てて収納することもできるが、収納部１１の後方側に収納物３０を斜め傾斜させて状態で収納することもできる。
即ち、図３に示すように、この実施形態に係るドアポケット構造においては、収納物３０の長手方向の底面３０ａを、収納部１１の内側底壁１１ｃの傾斜した底面壁１３ａに載置し、その状態で収納物３０の長手方向の側面３０ｂを傾斜面１３ｂ，１４に当接させることができる。
【００２４】
したがって、このドアポケット構造を採用した場合には、前席の後方のシートが車体後方側に大きくスライド移動している場合であっても、乗員が大きく前傾姿勢をとることなく、収納物３０を収納部１１に対して容易に出し入れすることができる。
【００２５】
また、この実施形態に係るドアポケット構造においては、底面壁１３ａが、収納部１１の内側底壁１１ｃの他の部位に比較して凹状に窪んだ窪み部１３に形成されている。このため、底面壁１３ａが収納部１１の内側底壁１１ｃの一般部に対して上方に隆起しなくなり、その分収納部１１の内側容積を拡大することができる。したがって、筒状の収納物３０以外の収納物を収納する場合の収納容積を狭めることがない。
【００２６】
また、収納物３０の長手方向の側面３０ｂを支持する側面壁は、突起等によって形成することも可能であるが、この実施形態に係るドアポケット構造のように、鉛直面に対して車両後方側に傾斜する傾斜面によって構成するようにした場合には、収納物３０の長手方向の側面３０ｂをより安定して支持することができる。
【００２７】
さらに、この実施形態に係るドアポケット構造においては、収納部１１の内側後壁１１ｅには、傾斜面１４と、その傾斜面１４に対して下方に凹状に窪む角状凹部１５が設けられている。このため、例えば、図４に示すように、カバン等の矩形状の収納物４０の角部を角状凹部１５内に配置することができる。したがって、矩形収納物４０の前後方向の長さが長い場合にも、その収納物４０を余裕をもって収納部１１に収納することができる。
【００２８】
また、この実施形態に係るドアポケット構造の場合、ドアライニング２０の垂立壁２０ａのうちの、収納部１１の開口１２の後部領域から後部斜め上方に連続する領域に、収納物３０の長手方向の側面３０ｂに略沿う凹状のガイド面１６が設けられている。このため、収納部１１内に斜めに収納した収納物３０が収納部１１の上方に突出する場合にも、その突出した部分を凹状のガイド面１６部分で安定的に保持することができる。したがって、収納物３０の収納時における安定性をより高めることができる。
【００２９】
また、この実施形態に係るドアポケット構造では、ガイド面１６の途中に、そのガイド面１６よりも深く窪む凹部１７が設けられている。このため、収納部１１内に斜めに収納した収納物３０の上部が凹状のガイド面１６に保持されている場合にも、凹部１７から収納物３０の背面側に指先を回り込ませることにより、収納物３０を容易に把持して、収納部１１から取り出すことができる。
【００３０】
なお、この発明は上記の実施形態に限定されるものではなく、その要旨を逸脱しない範囲で種々の設計変更が可能である。
【符号の説明】
【００３１】
１０…ドア本体
１１…収納部
１１ｃ…内側底壁
１１ｅ…内側後壁
１３ａ…底面壁
１３ｂ…傾斜面（側面壁）
１４…傾斜面（側面壁）
１５…角状凹部
１６…ガイド面
１７…凹部
２１…ドアポケット
３０…収納物
３０ａ…底面
３０ｂ…側面
【図１】
2016078568.tif 000003
【図２】
2016078568.tif 000004
【図３】
2016078568.tif 000005
【図４】
2016078568.tif 000006